(57)【要約】【課題】  簡単な構成により、ＡＣコードを基板に手際よく固定できるようにした電子機器、ＡＣコードの固定構造およびＡＣコードの固定方法を提供することを目的とする。【解決手段】  ＡＣコード２を基板３に固定する束線バンド５を、更に備え、基板３に設けられ、当該基板３の一方の側端部３３と、一方のコード挿通孔３２ａとの間に穿設され、束線バンド５が挿通されるバンド用挿通孔３４と、側端部３３から他方のコード挿通孔３１ｂ側に向かう方向に形成され、束線バンド５を通すスリット３５と、当該スリット３５の先端にバンド用挿通孔３４に向かう方向に延設された窪み部３６とを有し、束線バンド５がコード挿通孔３４と、窪み部３６との間を跨ぐようにして当該束線バンド５により、ＡＣコード２を、基板３に固定する。【選択図】図４
2008294022.tif 000002
【特許請求の範囲】
【請求項１】
電気要素と、この電気要素が実装された基板と、この基板に形成された電源用の導電パターンと、この導電パターンに接続されるＡＣコードとを備え、前記基板の前記導電パターンと、ＡＣコードとが接続される部分に穿設され、前記ＡＣコードが挿通される一対のコード挿通孔を設けてなる電子機器において、
前記ＡＣコードを前記基板に固定する束線バンドを、更に備え、前記基板に設けられ、当該基板の一方の側端部と、前記コード挿通孔の一方のコード挿通孔との間に穿設され、前記束線バンドが挿通されるバンド用挿通孔と、前記側端部から前記コード挿通孔の他方のコード挿通孔に向かう方向に形成され、前記束線バンドを通すスリットと、当該スリットの先端に前記バンド用挿通孔に向かう方向に延設された窪み部とを有し、前記束線バンドにより、前記コード挿通孔と、前記窪み部との間を跨ぐようにして前記ＡＣコードを、前記基板に固定したことを特徴とする電子機器。
【請求項２】
電気要素と、この電気要素が実装された基板と、この基板に形成された電源用の導電パターンと、この導電パターンに接続されるＡＣコードとを備え、前記基板の前記導電パターンと、ＡＣコードとが接続される部分に穿設され、前記ＡＣコードが挿通される一対のコード挿通孔を設けてなるＡＣコード固定構造において、
前記ＡＣコードを前記基板に固定する束線バンドを、更に備え、前記基板に設けられ、当該基板の一方の側端部と、前記コード挿通孔の一方のコード挿通孔との間に穿設され、前記束線バンドが挿通されるバンド用挿通孔と、前記側端部から前記コード挿通孔の他方のコード挿通孔に向かう方向に形成され、前記束線バンドを通すスリットと、当該スリットの先端に前記バンド用挿通孔に向かう方向に延設された窪み部とを有し、前記束線バンドにより、前記コード挿通孔と、前記窪み部との間を跨ぐようにして前記ＡＣコードを、前記基板に固定したことを特徴とするＡＣコードの固定構造。
【請求項３】
前記バンド用挿通孔および窪み部は、前記基板の側端部から３ｍｍ以上内側に配設して禁止帯を設けたことを特徴とする請求項２に記載のＡＣコードの固定構造。
【請求項４】
電気要素と、この電気要素が実装された基板と、この基板に形成された電源用の導電パターンと、この導電パターンに接続されるＡＣコードとを備え、前記基板の前記導電パターンと、ＡＣコードとが接続される部分に穿設され、前記ＡＣコードが挿通される一対のコード挿通孔を設けてなるＡＣコードの固定方法において、
前記ＡＣコードを前記基板に固定する束線バンドを、更に備え、前記基板に設けられ、当該基板の一方の側端部と、前記コード挿通孔の一方のコード挿通孔との間に穿設され、前記束線バンドが挿通されるバンド用挿通孔と、前記側端部から前記コード挿通孔の他方のコード挿通孔に向かう方向に形成され、前記束線バンドを通すスリットと、当該スリットの先端に前記バンド用挿通孔に向かう方向に延設された窪み部とを有し、前記ＡＣコードを前記コード挿通孔に挿通した後、前記導電パターンにＡＣコードを半田付けし、その後、前記束線バンドを、前記バンド用挿通孔に挿通し、然る後、前記束線バンドを前記スリットから前記窪み部に誘引し、当該束線バンドにより、前記コード挿通孔と、前記窪み部との間を跨ぐようにして前記ＡＣコードを、前記基板に固定したことを特徴とするＡＣコードの固定方法。
【発明の詳細な説明】
【技術分野】
【０００１】
本発明は、例えば、ＡＶ機器などの電子機器のＡＣコードの固定構造およびＡＣコードの固定方法に関し、特に、簡単な構成により、ＡＣコードを基板に手際よく固定できるようにしたものである。
【背景技術】
【０００２】
例えば、テレビジョン、ビデオテープレコーダ、ＣＤプレーヤ、カラオケ装置などのＡＶ機器などは、通常、筐体内部に配設された電気要素に電力を供給するために、筐体内部に配設された基板の電源用の導電パターンにＡＣコードを接続している。このＡＣコードと、基板の導電パターンとの接続は、例えば、基板の挿通孔にＡＣコードを挿通した状態で、半田付されている。そして、製造過程において、ＡＣコードが基板に実装された電気要素のシャープエッジに当たらないように、また、製造過程や使用中に、ＡＣコードが引っ張られて、接続部分にストレスが掛からないようにする必要がある。
【０００３】
従来、この種電子機器において、ケーブルを保持するために、例えば、ケーブル保持具に沿うように配設したケーブルを、ばね性を有する部材を湾曲させてリング状に形成するとともに、このリング状部材の両端を外側に向けて直角に折り曲げて係止部を形成したクランプにより、ケーブル保持具に保持するようにしたものがある(例えば、特許文献１参照）。
【０００４】
また、シャーシに折り曲げ部を設け、この折り曲げ部に設けた貫通孔と、折り曲げ部に設けた切り欠きを設け、折り曲げ部の内側に配設した線材を、シャーシに束線バンドで固定するようにしたものがある(例えば、特許文献２参照）。また、固定具の縁に非平行の孔を設け、この孔に束線バンドを通して線材を、固定具に固定するにしたものがある(例えば、特許文献３参照）。
【特許文献１】特開平９−８３１５７号公報
【特許文献２】特開２００１−１６８５４８号公報
【特許文献３】特開２００４−１４８２６号公報
【発明の開示】
【発明が解決しようとする課題】
【０００５】
しかし、前述の特許文献１乃至特許文献３記載の構成では、何れも金属製のシャーシ、或いは、保持具に沿うようにケーブル（線材）を固定するようにしたものであって、ＡＣコードを基板に固定するものではない。また、特許文献１記載の構成では、クランプは、ばね性が必要であり、通常、ばね材で形成されており、種々の回路パターンが形成されている基板には、電気的絶縁の点からも適用できない。また、特許文献２および特許文献３記載の構成では、束線バンドは、保持具（シャーシ）に設けた孔と、保持具（シャーシ）の縁との間を囲繞するようにして線材を固定しているので、例えば、自動搬送されるような基板には、適用できないなどいった問題があった。
【０００６】
本発明は、上述した問題を解決するためになされたものであり、簡単な構成により、ＡＣコードを基板に手際よく固定できるようにした電子機器、ＡＣコードの固定構造およびＡＣコードの固定方法を提供することを目的とする。
【課題を解決するための手段】
【０００７】
かかる目的を達成するため、本発明では、電気要素と、この電気要素が実装された基板と、この基板に形成された電源用の導電パターンと、この導電パターンに接続されＡＣコードとを備え、基板の導電パターンと、ＡＣコードとが接続される部分に穿設され、ＡＣコードが挿通される一対のコード挿通孔を設けてなる電子機器において、ＡＣコードを基板に固定する束線バンドを、更に備え、基板に設けられ、当該基板の一方の側端部と、一方のコード挿通孔との間に穿設され、束線バンドが挿通されるバンド用挿通孔と、側端部から他方のコード挿通孔に向かう方向に形成され、束線バンドを通すスリットと、当該スリットの先端にバンド用挿通孔に向かう方向に延設された窪み部とを有し、束線バンドにより、コード挿通孔と、窪み部との間を跨ぐようにしてＡＣコードを、基板に固定する。
【０００８】
この構成によれば、ＡＣコードを固定する束線バンドは、基板に穿設されたバンド用挿通孔に挿入した後、基板の側端部からスリットを経由して窪み部に誘引できるので、束線バンドを用いてＡＣコードを基板に手際よく固定することができ、この種電子機器の作業性を向上することができる。また、束線バンドは、バンド用挿通孔と、窪み部との間を跨ぐようにして、ＡＣコードを固定しているので、束線バンドがずれることがなく、この種電子機器を長期に亘って使用することができる。
【０００９】
また、本発明においては、電気要素と、この電気要素が実装された基板と、この基板に形成された電源用の導電パターンと、この導電パターンに接続されＡＣコードとを備え、基板の導電パターンと、ＡＣコードとが接続される部分に穿設され、ＡＣコードが挿通される一対のコード挿通孔を設けてなるＡＣコード固定構造において、ＡＣコードを基板に固定する束線バンドを、更に備え、基板に設けられ、当該基板の一方の側端部と、一方のコード挿通孔との間に穿設され、束線バンドが挿通されるバンド用挿通孔と、側端部から他方のコード挿通孔に向かう方向に形成され、束線バンドを通すスリットと、当該スリットの先端にバンド用挿通孔に向かう方向に延設された窪み部とを有し、束線バンドにより、コード挿通孔と、窪み部との間を跨ぐようにしてＡＣコードを、基板に固定する。
【００１０】
この構成によれば、ＡＣコードを固定する束線バンドは、基板に穿設されたバンド用挿通孔に挿入した後、基板の側端部からスリットを経由して窪み部に誘引できるので、束線バンドを用いてＡＣコードを基板に手際よく固定することができる。また、束線バンドは、バンド用挿通孔と、窪み部との間を跨ぐようにして、ＡＣコードを固定しているので、束線バンドがずれることがない。また、例えば、基板に貫通孔を２個穿設し、これら２個の貫通孔に跨って束線バンドを通す場合に比べ、作業効率の改善を図ることができる。更には、貫通孔に換えて、両方をスリットとした場合に比べ、基板の割れや、束線バンドのずれなどが生じる危惧がないので、都合が良い。
【００１１】
また、本発明においては、バンド用挿通孔および窪み部は、基板の側端部から３ｍｍ以上内側に配設して禁止帯を設ける。この構成によれば、基板の側端部から３ｍｍ以上内側にバンド用挿通孔および窪み部が形成されているので、束線バンドは、側端部から３ｍｍ以上内側に位置することとなる。従って、基板の製作に当たり、禁止帯をレール通路として利用する搬送手段を用いても、束線バンドがその障害となることがなく、都合がよい。
【００１２】
更に、本発明においては、電源用の導電パターンと、この導電パターンに接続されるＡＣコードとを備え、基板の導電パターンと、ＡＣコードとが接続される部分に穿設され、ＡＣコードが挿通される一対のコード挿通孔を設けてなるＡＣコードの固定方法において、ＡＣコードを基板に固定する束線バンドを、更に備え、基板に設けられ、当該基板の一方の側端部と、一方のコード挿通孔との間に穿設され、束線バンドが挿通されるバンド用挿通孔と、側端部から他方のコード挿通孔に向かう方向に形成され、束線バンドを通すスリットと、当該スリットの先端にバンド用挿通孔に向かう方向に延設された窪み部とを有し、ＡＣコードをコード挿通孔に挿通した後、導電パターンにＡＣコードを半田付けし、その後、束線バンドを、バンド用挿通孔に挿通し、然る後、束線バンドをスリットから窪み部に誘引し、当該束線バンドにより、コード挿通孔と、窪み部との間を跨ぐようにしてＡＣコードを、基板に固定する。
【００１３】
この構成によれば、ＡＣコードをコード挿通孔に挿通した後、導電パターンにＡＣコードを半田付けし、その後、束線バンドを、バンド用挿通孔に挿通し、然る後、束線バンドをスリットから窪み部に誘引し、当該束線バンドにより、コード挿通孔と、窪み部との間を跨ぐようにしてＡＣコードを、基板に固定している。従って、束線バンドは、バンド用挿通孔に挿通した後、基板の側端部からスリットを経由して窪み部に誘引すればよいので、束線バンドを用いてＡＣコードを基板に手際よく固定することができる。この結果、この種固定作業の効率化が図れ、都合がよい。
【発明の効果】
【００１４】
本発明によれば、簡単な構成により、ＡＣコードを基板に手際よく固定できるようにした電子機器、ＡＣコードの固定構造およびＡＣコードの固定方法を得ることができる。
【発明を実施するための最良の形態】
【００１５】
（第１実施形態）
以下、本発明の一実施形態を図１乃至図７に基づいて説明する。図１は、本発明の一実施形態に係る電子機器である映像記録再生機能付きテレビジョンの概略構成を示す斜視図、図２は、図１に映像記録再生機能付きテレビジョンの要部側面図である。図３は、図２に示す基板の要部を示す平面図、図４は、図３に示す基板にＡＣコードを接続し、束線バンドで固定した状態を示す平面図である。図５は、束線バンドの一例を示す平面図、図６は、図５に示す束線バンドの側面図、図７は、図５に示す束線バンドの要部断面図である。
【００１６】
図１および図２に示す電子機器の一例である映像記録再生機能付きテレビジョン１は、厚みの薄い略矩形状の筐体１１を有している。筐体１１は、図示しないスタンドや壁掛け機構などにより略鉛直に正立され、その正面側に矩形状の開口１１１が設けられている。開口１１１には、映像表示手段である、例えば、液晶ディスプレ１２の表示面である液晶パネル１２１が嵌め込まれ、この液晶パネル１２１において映像を表示することが可能となっている。
【００１７】
また、筐体１１の上面には、幅方向に細長い矩形状の開口部１１２が形成され、この開口部１１２によって筐体１１の内部と、外部とが連通するように構成されている。この開口部１１２には、図示しないが、例えば、回転式のドアなどが装着され、ディスク状のＤＶＤやＣＤなどからなる記憶媒体Ｄを、図２に示すように、再生ユニット１３に導入および排出する際に、開閉されるように構成されている。
【００１８】
かかる構成により、ユーザは、例えば、ＡＣコード２を、図示しないコンセントに接続し、筐体１１に設けられた図示しない操作部を操作し、開口部１１２から図示しないディスクトレイを導出し、所望の記憶媒体Ｄを載せ、筐体１１内に配設された、再生ユニット１３内に挿入し、当該記憶媒体Ｄに記憶されたデジタル動画情報などを再生する。これにより、ユーザは、液晶パネル１２１に表示された動画を観ることができ、同時に図示しないスピーカから音声を聴くことができる。
【００１９】
而して、本発明に従い、ＡＣコード２は、例えば、複数本の導線を撚り合わせた撚り線からなり、その先端は、図４に示すように、基板３に形成された電源用の導電パターン３１ａ、３１ｂに、接続する。基板２には、基板３の裏面（図３、図４において）に形成された電源用の導電パターン３１ａ、３１ｂと、ＡＣコード２とが接続される部分にＡＣコード２を挿通するための一対のコード挿通孔３２ａ、３２ｂが穿設されている。そして、導電パターン３１ａ、３１ｂと、ＡＣコード２との接続は、基板２の表面（図３、図４において）から、ＡＣコード２の各線２ａ、２ｂが、コード挿通孔３２ａ、３２ｂに挿通され、図示しないが裏面において、例えば、半田付けなどにより接続されている。基板２には、フイルタ４１や、シャープエッジな部分を有する、例えば、ヒューズ４２などの電気要素４が実装されている。
【００２０】
また、基板３の一方の側端部３３と、例えば、一方のコード挿通孔３２ａとの間には、ＡＣコード２を固定する束線バンド５を挿通するためのバンド用挿通孔３４が穿設されている。このバンド用挿通孔３４は、丸孔でも良いが、図３に示すように、側端部３３と平行する方向に楕円形、或いは、長孔にすると、束線バンド５が挿通し易いので、都合が良い。また、側端部３３から他方のコード挿通孔３２ｂに向かう方向に、束線バンド５を通す（誘引する）スリット３５が形成されているとともに、当該スリット３５の先端には、バンド用挿通孔３４に向かう方向に延設された窪み部３６が形成されている。また、バンド用挿通孔３４および窪み部３６は、基板３の側端部３３から３ｍｍ以上、好ましくは、５ｍｍ以上内側に配設してバンド用挿通孔３４および窪み部３６と、側端部３３との間に各種電気要素４や部品などを含めて実装するのを禁止する禁止帯３７を形成するのが良い。このように、禁止帯３７を基板３の側端部３３から３ｍｍ以上、好ましくは、５ｍｍ以上設け、禁止帯３７の内側にバンド用挿通孔３４および窪み部３６を形成すると、束線バンド５は、側端部３３から３ｍｍ以上または５ｍｍ以上内側に位置することとなる。従って、この種基板２の製作に当たり、禁止帯３７をレール通路として利用する搬送手段を用いても、束線バンド５がその障害となることがなくなるので、よりこの種作業の作業効率が良くなり、都合がよい。
【００２１】
また、束線バンド５は、例えば、合成樹脂からなり、図５乃至図７に示すように、バンド部５１と挿入部５２とからなり、挿入部５２は、バンド部５１の一方の端部に設けられている。また、挿入部５２の内部には、バンド部５１に形成された複数個の三角形状のフック部５１ａが係合する係合部５２ａが設けられている。この構成により、束線バンド５のバンド部５１の先端５１ｂから、図７に示すように、矢印Ｙ方向から挿入部５２に挿入する。これにより、バンド部５１のフック部５１ａは、挿入部５２の係合部５２ａと係合した状態となり、バンド部５１により形成されるリング部分５ｃ内にＡＣコード２と、基板３の当該部分が囲繞される。即ち、図４に示すように、束線バンド５は、コード挿通孔３４と、窪み部３６との間を跨ぐようにしてＡＣコード２を、基板３に固定する。
【００２２】
この構成により、ＡＣコード２を基板３に固定するには、先ず、ＡＣコード２の各線２ａ、２ｂをコード挿通孔３１ａ、３１ｂにそれぞれ挿通した後、導電パターン３１ａ、３１ｂに各線２ａ、２ｂをそれぞれ半田付けする。その後、束線バンド５の先端５１ｂを、バンド用挿通孔３４に挿通し、然る後、図４において、基板３の下側から導出された束線バンド５を、ＡＣコード２の下側を潜らせてスリット３５から窪み部３６に誘引し、束線バンド５の先端５１ｂを挿入部５２に挿入し、紙面上側に引っ張る。これにより、前述の通り、束線バンド５のフック部５１ａが係合部５２ａに係合し、当該束線バンド５により、束線バンド５がコード挿通孔３４と、窪み部３６との間を跨ぐようにしてＡＣコード２を、基板３に固定することができる。
【００２３】
以上の構成による本実施形態によれば、ＡＣコード２を固定する束線バンド５は、基板２に穿設されたバンド用挿通孔３４に挿入した後、基板３の側端部３３からスリット３５を経由して窪み部３６に誘引しているので、束線バンド５を用いてＡＣコード２を基板に手際よく固定することができ、この種電子機器の作業性を向上することができる。また、束線バンド５は、バンド用挿通孔３４と、窪み部３６との間を跨ぐようにして、ＡＣコード２を固定しているので、束線バンド５は、窪み部３６の側端部分に係止され、当該窪み部３６よりがずれることがなく、この種電子機器を長期に亘って使用することができる。
【００２４】
また、本実施形態によれば、例えば、基板に貫通孔を２個穿設し、これら２個の貫通孔に跨って束線バンドを通す場合に比べ、作業効率の改善を図ることができる。更には、貫通孔に換えて、両方をスリットとした場合に比べ、基板の割れや、束線バンドのずれなどが生じる危惧がないので、都合が良い。
【００２５】
更に、本実施形態によれば、束線バンド５は、バンド用挿通孔３４に挿通した後、基板３の側端部３３からスリット３５を経由して窪み部３６に誘引すればよいので、束線バンド５を用いてＡＣコード２を基板３に手際よく固定することができる。この結果、この種固定作業の効率化が図れ、都合がよい。
【００２６】
なお、上述した各実施形態は、本発明の好適な実施例であるが、本発明はこれに限定されるものではなく、本発明の要旨を逸脱しない範囲において、種々変形実施可能である。
【００２７】
例えば、上述した実施形態では、電子機器として、映像記録再生機能付きテレビジョン１について詳述したが、他の型式のテレビジョンや、ビデオテープレコーダ、ＣＤプレーヤ、カラオケ装置などのＡＶ機器に本発明を適用してもよいのは、勿論である。
【図面の簡単な説明】
【００２８】
【図１】本発明の一実施形態に係る電子機器である映像記録再生機能付きテレビジョンの概略構成を示す斜視図である。
【図２】図１に映像記録再生機能付きテレビジョンの要部側面図である。
【図３】図２に示す基板の要部を示す平面図である。
【図４】図３に示す基板にＡＣコードを接続し、束線バンドで固定した状態を示す平面図である。
【図５】束線バンドの一例を示す平面図である。
【図６】図５に示す束線バンドの側面図である。
【図７】図５に示す束線バンドの要部断面図である。
【符号の説明】
【００２９】
１      電子機器（テレビジョン）
２      ＡＣコード
３      基板
３１ａ  導電パターン
３１ｂ  導電パターン
３２ａ  コード挿通孔（一方）
３２ｂ  コード挿通孔（他方）
３３    側端部
３４    バンド用挿通孔
３５    スリット
３６    窪み部
４      電気要素
５      束線バンド
【図１】
2008294022.tif 000003
【図２】
2008294022.tif 000004
【図３】
2008294022.tif 000005
【図４】
2008294022.tif 000006
【図５】
2008294022.tif 000007
【図６】
2008294022.tif 000008
【図７】
2008294022.tif 000009